(57)【要約】【課題】足の過剰回外による一連の下肢骨格の配列の乱れを改善させると共に、下肢バイオメカニクスを維持させ（正確な下肢骨格の配列）、乱れた下肢骨格の配列によって全身的な姿勢不良からの不快感及び痛みを緩和させる凹足向け下肢矯正装具を提供する。【解決手段】本発明は、内部に着用空間が形成される二つの本体を含み、該各本体は、内側に形成される足弓区を有する足裏部と、該足裏部と接続する足首部と、該足裏部から該足首部に延伸し、前記着用空間を囲繞するように隣接する基礎部と、人体の楔状骨に対応する前記足弓区の内側から下向きに回りこんだ後、上向きに内へ向かって前記足首部における人体の距骨に対応する位置を通過して延伸し、前記着用空間を囲繞するように隣接する弾性補助部と、を備える。【選択図】図１
2019150576.tif 000002
【特許請求の範囲】
【請求項１】
内部に着用空間が形成される二つの本体を含み、
該各本体は、
足底区と、該足底区と上下に対向する足甲区と、内側に形成され、該足底区と足甲区とを接続する足弓区と、外側に形成され、該足底区と足甲区とを接続する外側区と、を含む足裏部と、
前記足裏部と接続し、上部に前記着用空間と接続する着用開口部が形成される足首部と、
前記足首部の上部に接続する下腿部と、
前記足裏部から前記足首部を通って前記下腿部に延伸し、前記着用空間を囲繞するように隣接する基礎部と、
人体の楔状骨に対応する前記足弓区の内側から下向きに足底区を回り込んで、人体の立方骨に対応する位置を外向きに通った後、上向きに内へ向かって前記足首部における人体の距骨に対応する位置を通過し、さらに前記下腿部に延伸して、前記着用空間を囲繞するように隣接する弾性補助部と、を備えることを特徴とする、
凹足向け下肢矯正装具。
【請求項２】
前記弾性補助部が前記下腿部に巻き付くことを特徴とする請求項１に記載の凹足向け下肢矯正装具。
【請求項３】
前記各本体は、前記下腿部の上部と接続する膝関節部と、該膝関節部と接続する大腿部と、を備え、前記弾性補助部は、前記下腿部の後ろ側を回り込んで、外向きに上方へ向かって前記膝関節部の外側を回り込んだ後、内向きに上方へ向かって前記大腿部の前側に延伸して、該大腿部に巻き付くことを特徴とする請求項１に記載の凹足向け下肢矯正装具。
【請求項４】
前記各本体は、下腿部の上部と接続する膝関節部と、該膝関節部と接続する大腿部と、を備えると共に、前記各二つの本体の大腿部と接続し、且つ人体の股関節に対応する骨盤部をさらに備え、前記弾性補助部は、前記下腿部の後ろ側を回り込んで、外向きに上方へ向かって前記膝関節部の外側を回り込んだ後、内向きに上方へ向かって前記大腿部の前側に延伸して、内から外へ向かって前記大腿部の後ろ側に延伸して、外向きに上方へ向かって前記骨盤部の外側を回り込み、さらに該骨盤部の前側に延伸しつつ、他の一つの弾性補助部と交差して、人体の骨盤と腰部が繋がる箇所に巻き付くことを特徴とする請求項１に記載の凹足向け下肢矯正装具。
【発明の詳細な説明】
【技術分野】
【０００１】
本発明は、下肢矯正装具に関し、特に足の回外（凹足、ｓｕｐｉｎａｔｉｏｎ）、下肢の外旋、内反膝（Ｏ脚）、及び骨盤の傾斜及び回旋の矯正を助ける凹足向け下肢矯正装具に関するものである。
【背景技術】
【０００２】
先天性の足の過剰回外は土踏まずのアーチが正常な高さより高くなり、距骨変位（ｔａｌｕｓ  ａｂｄｕｃｔｉｏｎ  ｃｏｍｂｉｎｅ  ｅｖｅｒｓｉｏｎ）を引き起こしてしまい、これらの影響で、足首関節及び距骨下関節変位、下肢（脛骨、大腿骨）外旋（ｅｘｔｅｒｎａｌ  ｒｏｔａｔｉｏｎ）が発生し、内反膝（ｋｎｅｅ  ｖａｒｕｓ）を誘発し、Ｏ脚になる。大腿骨が外旋すると、股関節の大腿骨頭（ｆｅｍｏｒａｌ  ｈｅａｄ）が骨盤の寛骨臼（ａｃｅｔａｂｕｌａｒ）を前方へ押圧することで、骨盤が傾き、傾いた骨盤部は、代償性脊柱側弯症を誘発し、機能性脊柱側弯症になり、下肢及び傍脊柱筋軟組織の張力が不均一になる。そして、下肢バイオメカニクス及び骨格の配列が乱れることにより、以下の症状が発生する恐れがある。
例えば、アキレス腱の痛み（Ａｃｈｉｌｌｅｓ  ｔｅｎｄｏｎ  ｐａｉｎ）、脛前後の痛み（ｓｈｉｎ  ｓｐｌｉｎｔ）、膝の内側と外側の痛み（ＬＣＬ  ｓｔｒｅｔｃｈ  ＆  ｍｅｄ．  ｍｅｎｉｓｃｕｓ  ｃｏｍｐｒｅｓｓｉｏｎ）、股関節インピンジメント症候群（Ｆｅｍｏｒａｌ  ａｃｅｔａｂｕｌａｒ  ｉｍｐｉｎｇｅｍｅｎｔ）、中臀筋障害（Ｇｌｕｔｅｕｓ  ｍｅｄｉｕｓ  ｄｙｓｆｕｎｃｔｉｏｎ）、骨盤の傾斜及び回旋（ｐｅｌｖｉｃ  ｔｉｌｔ  ＆  ｔｏｒｓｉｏｎ）、機能性脚長差、機能性脊柱側弯症（ｆｕｎｃｔｉｏｎａｌ  ｓｃｏｌｉｏｓｉｓ）、腰筋、多裂筋障害（ｐｓｏａｓ  ｍａｊｏｒ，ｍｕｌｔｉｆｉｄｕｓ  ｓｔｒｅｔｃｈ  ＆  ｗｅａｋｎｅｓｓ）、仙腸関節の痛み（ＳＩ  ｊｏｉｎｔ  ｓｕｂｌｕｘａｔｉｏｎ  ＆  ｓａｃｒｏｌｉｔｉｓ）、背中下部の痛み（ＨＩＶＤ，ｆａｃｅｔ  ｊｏｉｎｔ  ｓｙｎｄｒｏｍｅ，ｓｏｆｔ  ｔｉｓｓｕｅ  ｔｉｇｈｔｎｅｓｓ  ｏｒ  ｓｐｏｎｄｙｌｏｌｉｔｈｅｓｉｓ）、代償性肩関節障害（Ｓｈｏｕｌｄｅｒ  ｅｌｅｖａｔｉｏｎ  ｃｏｍｐｅｎｓａｔｉｏｎ  ｄｙｓｆｕｎｃｔｉｏｎ）、肩凝り（ＣＴ  ｊｕｎｃｔｉｏｎ，ｃｅｒｖｉｃａｌ  ｄｉｓｃ  ｈｅｒｎｉａｔｉｏｎ，ｆａｃｅｔ  ｊｏｉｎｔ  ｓｙｎｄｒｏｍｅ，ｍｙｏｆａｃｉａｌ  ｐｒｏｂｌｅｍ）、顎関節錯位（ＴＭＪ  ｓｕｂｌｕｘａｔｉｏｎ）、片頭痛などである。
【０００３】
図６に示すように、足９０の過剰回外が起こると、足９０上方の脛骨９１が外側に回転し、次いで回転した脛骨９１は大腿骨９３を外側に回転させることで、膝関節９２が内転してＯ脚になり、それに加え、外側に回転した大腿骨９３が、接続する大腿骨頭を介して骨盤９４の寛骨臼を前方に圧迫して、骨盤９４が傾斜及び回旋し、傾いた骨盤９４によって、脊柱９５が代償性側弯症を誘発する。
さらに、側弯した脊柱９５が肩甲骨９６と肩峰鎖骨９７を傾け、長期間に亘り不正確な骨格の配列となることで、身体の姿勢が悪くなると共に、アキレス腱の痛み、骨盤の傾斜及び回旋、膝及び股関節の痛み、脚長差、背中の痛み、機能性脊柱側弯症などの一連の症状を引き起こす恐れがある。
【発明の概要】
【発明が解決しようとする課題】
【０００４】
本発明は、上記の課題に鑑みてなされたものであり、足の過剰回外（凹足）による一連の下肢骨格の配列の乱れを改善すると共に、下肢バイオメカニクスを維持し（正確な下肢骨格の配列）、乱れた下肢骨格の配列によって全身的な姿勢不良からの不快感及び痛みを緩和させる凹足向け下肢矯正装具を提供することを目的としている。
【課題を解決するための手段】
【０００５】
上記目的を達成するために、本発明は、凹足向け下肢矯正装具であって、内部に着用空間が形成される二つの本体を含み、該各本体は、足底区と、該足底区と上下に対向する足甲区と、内側に形成され、該足底区と足甲区とを接続する足弓区と、外側に形成され、該足底区と足甲区とを接続する外側区と、を含む足裏部と、前記足裏部と接続し、上部に前記着用空間と接続する着用開口部が形成される足首部と、前記足首部の上部に接続する下腿部と、前記足裏部から前記足首部を通って前記下腿部に延伸し、前記着用空間を囲繞するように隣接する基礎部と、人体の楔状骨に対応する前記足弓区の内側から下向きに足底区を回り込んで、人体の立方骨に対応する位置を外向きに通った後、上向きに内へ向かって前記足首部における人体の距骨に対応する位置を通過し、さらに前記下腿部に延伸して、前記着用空間を囲繞するように隣接する弾性補助部と、を備える。
【０００６】
前記弾性補助部が前記下腿部に巻き付くことが好ましい。
【０００７】
前記各本体は、前記下腿部の上部と接続する膝関節部と、該膝関節部と接続する大腿部と、を備え、ここでの前記弾性補助部は、前記下腿部の後ろ側を回り込んで、外向きに上方へ向かって前記膝関節部の外側を回り込んだ後、内向きに上方へ向かって前記大腿部の前側に延伸して、該大腿部に巻き付くことが好ましい。
【０００８】
前記各本体は、下腿部の上部と接続する膝関節部と、該膝関節部と接続する大腿部と、を備えると共に、本発明の凹足向け下肢矯正装具において、前記各二つの本体の大腿部と接続し、且つ人体の股関節に対応する骨盤部をさらに備え、ここでの前記弾性補助部は、前記下腿部の後ろ側を回り込んで、外向きに上方へ向かって前記膝関節部の外側を回り込んだ後、内向きに上方へ向かって前記大腿部の前側に延伸して、内から外へ向かって前記大腿部の後ろ側に延伸して、外向きに上方へ向かって前記骨盤部の外側を回り込み、さらに該骨盤部の前側に延伸しつつ、他の一つの弾性補助部と交差して、人体の骨盤と腰部が繋がる箇所に巻き付くことが好ましい。
【発明の効果】
【０００９】
上述の発明によれば、使用者が本発明の凹足向け下肢矯正装具を下肢に装着する場合、本体の足裏部を使用者の足裏に合わせ、足裏部の足弓区を使用者の土踏まずに合わせ、本体の足首部を使用者の踝に合わせることで、弾性補助部は、足弓区を回り込んで足底区へ延伸することにより、使用者の土踏まずを引き下げる。
以上により、弾性補助部は、使用者の土踏まずに適切な押圧力をもたらして、土踏まずのアーチの高さを下げると共に、足の過剰回外を抑制することができるので、踝、距骨下関節、脛骨、腓骨、大腿骨、膝関節、股関節、骨盤、及び脊柱による上から下へ向かって骨格の配列を正確な位置（姿勢）に維持し、且つ乱れた下肢骨格の配列による全身的な姿勢不良からの不快感や痛みを緩和させることができることから、下肢骨格の配列の矯正を効果的に助け、バイオメカニクスを向上させ、健康を増進させること可能となる。
【図面の簡単な説明】
【００１０】
【図１】本発明の第１実施例の正面図である。
【図２】本発明の第２実施例の正面図である。
【図３】本発明の第２実施例の背面図である。
【図４】本発明の第３実施例の正面図である。
【図５】本発明の第３実施例の背面図である。
【図６】足の過剰回外（外転）によって人体骨格の配列が乱れた状態を示す模式図である。
【発明を実施するための形態】
【００１１】
本発明の目的を達成するために採用された技術手段を、以下の図面及び好ましい実施形態により説明する。
【００１２】
図１、図２及び図４は、本発明の凹足向け下肢矯正装置のいくつかの好ましい実施形態である。それによると、本発明は、内部に着用空間が形成される二つの本体１０ａ、１０ｂ、１０ｃを含み、前記各本体１０ａ、１０ｂ、１０ｃは、足裏部１１と、該足裏部１１と接続する足首部１２と、を備える。前記足裏部１１は、上下に対向する足底区１１１と足甲区１１２と、該足裏部１１の内側に形成され、該足底区１１１と足甲区１１２とを接続する足弓区１１３と、該足裏部１１の外側に形成され、該足底区１１１と足甲区１１２とを接続する外側区１１４と、を含む。前記各本体１０ａ、１０ｂ、１０ｃは、前記足裏部１１から足首部１２に延伸し、前記着用空間を囲繞するように隣接する基礎部１７と、前記足裏部１１から足弓区１１３及び足底区１１１を回り込んで、前記外側区１１４に向かって延伸した後、前記足首部１２に向かって延伸して、前記着用空間を囲繞するように隣接する弾性補助部１８と、を含む。
【００１３】
図１、図２〜図３及び図４〜図５に示すように、前記弾性補助部１８は、前記足甲区１１２における人体の楔状骨（Ｃｕｎｅｉｆｏｒｍ  ｂｏｎｅ）Ｅに対応する位置から延び、人体の舟状骨（Ｎａｖｉｃｕｌａｒ  ｂｏｎｅ）Ｂに対応する足弓区１１３、足底区１１１、外側区１１４を順次に通過し、前記外側区１１４における人体の立方骨（Ｃｕｂｏｉｄ  ｂｏｎｅ）Ａに対応する位置を通って、さらに斜め上に向かって足首部における人体の距骨（Ｔａｌｕｓ  ｂｏｎｅ）Ｃに対応する位置に延伸する。
【００１４】
図１に示すように、本発明の第１実施例における凹足向け下肢矯正装具は靴下の態様であり、前記各本体１０ａにおける足首部１２の上部に、前記着用空間と接続し、使用者３０の足を入れるための着用開口部が形成される。前記弾性補助部１８は、前記足首部１２の上部に巻き付き、該弾性補助部１８の先端が前記足甲区１１２に位置し、足弓区１１３に隣接しており、人体の楔状骨Ｅに対応している。
該弾性補助部１８は、前記足甲区１１２から内向きに下へ延伸して前記足弓区１１３を通過した後、前記足底区１１１と外側区１１４を順次に通過し、さらに外から内へ斜め上に足首部１２に延伸することで、該弾性補助部１８が、使用者３０の土踏まずに押圧力をもたらし、過剰回外して盛り上がっている土踏まずを押し下げ、過剰回外の矯正を助ける。
【００１５】
図２及び図３に示すように、本発明の第２実施例における凹足向け下肢矯正装具は膝上靴下の態様であり、前記各本体１０ｂは、下部が前記足首部１２の上部と接続する下腿部１４と、下部が前記下腿部１４の上部と接続する膝関節部１５と、下部が前記膝関節部１５の上部と接続する大腿部１６と、を含み、該本体１０ｂにおける基礎部１７は、前記足首部１２から前記下腿部１４、膝関節部１５及び大腿部１６を順次に通過して延伸し、さらに、該大腿部１６の上部に、前記着用空間と接続する、使用者３０の足を入れるための、着用開口部が形成される。図２、図３に示すように、前記各本体１０ｂにおいて、前記足首部１２に位置する弾性補助部１８は、人体の腓骨頭（Ｆｉｂｕｌａ  ｈｅａｄ）Ｇ及び膝関節の外側に対応するように、下腿部１４の後ろ側を回り込み、前記膝関節部１５の外側を通過した後、前記大腿部１６の前側を回り込んで、該大腿部１６に巻き付く。
【００１６】
図４及び図５に示すように、本発明の第３実施例における凹足向け下肢矯正装具はタイツの態様であり、前記各本体１０ｃは、下部が前記足首部１２の上部と接続する下腿部１４と、下部が前記下腿部１４の上部と接続する膝関節部１５と、下部が前記膝関節部１５の上部と接続する大腿部１６と、を含み、該本体１０ｃにおける基礎部１７は、前記足首部１２から下腿部１４、膝関節部１５及び大腿部１６を順次に通過して延伸する。
本発明の凹足向け下肢矯正装具は、該二つの本体１０ｃの大腿部１６の上部と接続する骨盤部２０をさらに含み、該骨盤部２０は、上部に、該二つの本体１０ｃの着用空間と接続する、使用者３０の足を入れるための、着用開口部が形成される。図４及び図５に示すように、前記各本体１０ｃにおいて、前記足首部１２に位置する弾性補助部１８が、下腿部１４の後ろ側を回り込んで、人体の腓骨頭Ｇ及び膝関節の外側に対応するように前記膝関節部１５の外側を通過した後、前記大腿部１６の前側を回り込んで、斜め上に後ろへ向かって該大腿部１６の後側面を回り込んで、人体の股関節（Ｈｉｐ  ｊｏｉｎｔ）Ｈに対応する位置を通過し、さらに、該二つの本体１０ｃの弾性補助部１８が、前記骨盤部２０の前側の前へ延伸して、該骨盤部２０の前側にＸ字型に交差し、さらに、人体の腸骨稜（Ｉｌｉａｃ  ｃｒｅｓｔ）Ｌの位置に対応するように該骨盤部２０の上部に延伸して、人体の骨盤と腰部が繋がる箇所に巻き付く。
【００１７】
上述した、弾性補助部１８を含む本発明の凹足向け下肢矯正装具のあらゆる部分は、適当な伸縮性と緊締力を有する部材であってもよい。
【００１８】
図２〜図３に示すように、本発明の第２実施例において、前記弾性補助部１８を前記下腿部１４に延ばして、前記大腿部１６に巻き付けることで、使用者３０の下腿及び大腿を内転（ｉｎｔｅｒｎａｌ  ｒｏｔａｔｉｏｎ）させる回転力が発生し、使用者３０の膝関節を内側への押圧力がさらに発生することにより、該凹足向け下肢矯正装具は、過剰回外（ｖａｒｕｓ）した膝関節及びＯ脚の矯正を助ける。
【００１９】
図４〜図５に示すように、前記弾性補助部１８を前記下腿部１４及び大腿部１６に延ばすことで、使用者３０の下腿及び大腿を内転させる回転力が発生すると共に、使用者３０の膝関節を内側への押圧力が発生することにより、過剰回外（ｖａｒｕｓ）した膝関節及びＯ脚の矯正を助けることに加え、該弾性補助部１８をさらに該大腿部１６の後側面を回り込ませて、股関節を通し、その後、上向きに骨盤の前側を通して、前記骨盤部２０の上部に延ばすことで、該弾性補助部１８は、使用者３０の股関節を内転させる引っ張り力及び股関節を内へ圧迫する押圧力をもたらすので、大腿骨の外旋によって誘発される股関節の外旋及び更なる骨盤の傾きを矯正する。
【００２０】
上述したように、本発明の凹足向け下肢矯正装具は、前記弾性補助部１８を介して前記足弓区１１３を下向きに圧迫し、さらに前記膝関節部１５の外側及び骨盤部２０を通過することで、人体の股関節に重点的に矯正する力を加え、使用者３０の下肢バイオメカニクスと、骨格及び骨盤の配列を正確に維持することで、乱れた骨格の配列による全身的な姿勢不良からの不快感及び痛みを緩和させるので、健康を増進させることが可能となる。
【００２１】
以上の説明は、本発明の好ましい実施形態に過ぎず、本発明に対して何ら限定を行うものではない。本発明について、比較的好ましい実施形態をもって上記のとおり開示したが、これは本発明を限定するものではなく、すべての当業者が、本発明の技術構想を逸脱しない範囲において、本発明の技術の本質に基づいて上記の実施形態に対して行ういかなる簡単な修正、変更及び修飾もすべて本発明の技術構想の範囲内にある。
【符号の説明】
【００２２】
１０ａ、１０ｂ、１０ｃ  本体
１１  足裏部
１１１  足底区
１１２  足甲区
１１３  足弓区
１１４  外側区
１２  足首部
１４  下腿部
１５  膝関節部
１６  大腿部
１７  基礎部
１８  弾性補助部
２０  骨盤部
３０  使用者
【図１】
2019150576.tif 000003
【図２】
2019150576.tif 000004
【図３】
2019150576.tif 000005
【図４】
2019150576.tif 000006
【図５】
2019150576.tif 000007
【図６】
2019150576.tif 000008
【外国語明細書】
2019150576000001.pdf